(57)【要約】      （修正有）【課題】小魚や昆虫が痙攣したような細かく素早い動きを表現できるルアーを提供する。【解決手段】ボディーＡには上部から下部への貫通穴Ｉが設けられており、連結する釣糸Ｊはこの穴Ｉを通り連結金具Ｂへと結ばれる。連結金具Ｂは釣り針Ｇの取り付け金具も兼ねている。Ｋは釣糸を傷から保護するためのチューブで穴Ｉに埋め込まれる。Ｄはルアーの破損を防ぐプロテクターおよび本体の長手方向の姿勢を正すバランサーの役目をはたす。【選択図】図１
0003155753.tif 000002
【実用新案登録請求の範囲】
【請求項１】
ルアーの上面にルアー本体へ連結する釣糸を通すための穴を設け、前記穴を通した釣糸を連結するための連結具を備え、静止時には水平から前後傾±３０度以内の姿勢角度を保つことを特徴とする比重１．０以下の硬質素材ルアーである。
【請求項２】
一部分または複数の軟質部位を有する請求項１に記載のルアー。
【考案の詳細な説明】
【技術分野】
【０００１】
本考案は釣用ルアーに関するものである。
【背景技術】
【０００２】
周知の通り、ブラックバスやトラウトなどの魚を対象（以下、「対象魚」とする）とするルアーフィッシングにおいては、対象魚が生息するポイントへルアーをキャスティングした後、ルアーをロッドやリールで操作しながらリトリーブするが、この時、対象魚の捕食を誘うための特殊なアクションができるように工夫されたルアーが従来から多数開発されている。
【０００３】
従来の硬質素材ルアーは釣糸を連結金具に直接、もしくはスナップやスプリットリングを介して連結する。
【０００４】
従来の硬質素材ルアーはリトリーブ時に釣人のもとへ頭を向け直線的に進んで回収される特徴を持つ。
【０００５】
後出特許文献１によると、釣糸を連結するための連結具をルアー本体の側面に設けられていると共にルアー本体の連結具に対して後方側に位置する側面の水を受ける面積を前方側に位置する側面の水を受ける面積よりも広くし、ルアー本体の連結具が設けられた位置から後方側に撓曲状態において復元力が生じる撓曲部を設けたので、リトリーブ時に釣糸を張った状態と緩めた状態とを繰り返すことによってルアーが釣人を中心として渦巻きを描くように進むため（以下、「渦巻き状の進行」とする）、ルアーの進行方向に釣人が存在しなくなり、対象魚に対して警戒心を与えることがない。
【０００６】
特許文献１に開示されたルアーは釣糸の接続部位によりルアーの進行が一方方向へ決定されてしまうので、リトリーブ時に釣糸を張った状態と緩めた状態とを繰り返したときのルアーの渦巻き状の進行方向を任意に変えることができずリトリーブの軌道上に存在する障害物を避けることができないことがあった。
【先行技術文献】
【特許文献】
【０００７】
【特許文献１】特開2007-020446
【考案の開示】
【考案が解決しようとする課題】
【０００８】
しかしながら以上の技術によれば、竿先でルアーに動きを加えると連結金具の重みで慣性が働き元の姿勢に戻るまでに若干の遅れが生じること、また連結金具によって作用点が本体から離れてしまうことから、竿先でルアーに素早く連続した細かな動きを伝えることが困難であった。
【０００９】
前記特許文献１に開示されたルアーは釣糸の接続部位によりルアーの渦巻き状の進行が一方方向へ決定されてしまうので、キャスト後は一旦回収しなければルアーの渦巻き状の進行方向を変えることができなかった。
【００１０】
本考案はかかる実情に鑑み、硬質素材ルアーにおいて小魚や昆虫が痙攣したような細かく素早い動きを表現することが可能な釣用ルアーを提供することを目的とする。
【００１１】
また、リトリーブ時に釣糸を張った状態と緩めた状態とを繰り返すことによってルアーが釣人を中心として渦巻き状の進行をするが、任意にリトリーブ中の渦巻き状の進行方向を変えることを可能とするものである。
【課題を解決するための手段】
【００１２】
ルアーの上面にルアー本体へ連結する釣糸を通すための穴を設け、前記穴を通した釣糸を連結するための連結具を備え、静止時には水平から前後傾±３０度以内の姿勢角度を保つことを特徴とする比重１．０以下の硬質素材ルアーである。
【００１３】
一部分または複数の軟質部位を有する請求項１に記載のルアーである。
【考案の効果】
【００１４】
本考案によれば、釣糸を張った状態においては従来のルアーと異なりルアーは本体の長手方向ではなく側面方向に傾くが、ルアー上部の連結金具を廃しルアーの重心を下げたことによって釣糸を緩めると本体がより素早く元の姿勢に戻るので、素早く連続的なアクションを加えることが可能となる。
【００１５】
また、連結金具を介せずルアー本体にダイレクトに動きを加えることでより繊細な動きを伝えることができ、従来のルアーでは表現できなかった小魚や昆虫が痙攣したような細かく連続した素早い動きによって高い釣果を期待することができる。
【００１６】
ルアーの作用点となるルアー上部の釣糸を通す穴をボディーの長手方向に前後させると作用点の前後で受ける水流の量に差が生じ、リトリーブすると少なく水流を受ける長手方向へルアーが渦巻き状の進行をするので、ルアーの進行方向に釣人が存在しなくなり、対象魚に対して警戒心を与えることがない。
【００１７】
本考案によれば、同一ルアーにおいてはリトリーブを開始するときのルアーの向きによってルアーの渦巻き状の進行方向が決定するので、リトリーブ中にルアーの向きを反転させることにとって、渦巻き状の進行方向を操作することができる。
【図面の簡単な説明】
【００１８】
【図１】本考案の一実施形態における釣用ルアーの構成例を示す図である。
【図２】本考案に係る穴Ｉの配置例を示す図である。
【図３】本考案に係るルアーにアクションを加えたときの動きを示す図である。
【図４】本考案に係るルアーにアクションを加えたときの動きを示す図である。
【図５】本考案に係るルアーにアクションを加えたときの動きを示す図である。
【図６】本考案に係るルアーにアクションを加えたときの動きを示す図である。
【図７】本考案に係るルアーにアクションを加えたときの動きを示す図である。
【図８】本考案に係るルアーにおける変形例を示す図である。
【図９】本考案に係るルアーにおける変形例を示す図である。
【考案を実施するための形態】
【００１９】
以下、図面に基づき、本考案による釣用ルアーの好適な実施の形態を説明する。
【００２０】
実施の形態１．
【００２１】
図１は、本考案の一実施形態による釣用ルアーの構成例を示している。ボディーＡには上部から下部への貫通穴Ｉが設けられており、連結する釣糸Ｊはこの穴Ｉを通り連結金具Ｂへと結ばれる。図１では連結金具Ｂが釣り針Ｇの取り付け金具も兼ねている。Ｋは釣糸を傷から保護するためのチューブで穴Ｉに埋め込まれる。
Ｄはルアーの破損を防ぐプロテクターおよび本体の長手方向の姿勢を正すバランサーの役目をはたす。
【００２２】
図２（ａ、ｂ）は作用点となる穴Ｉの位置によりリトリーブ時のルアーが受ける水流の変化を示している。ルアーの作用点となるルアー上部の釣糸を通す穴Ｉの位置をボディーＡの長手方向に前後させると作用点の前後で受ける水流の量に差が生じ、リトリーブすると少なく水流を受ける長手方向へルアーが渦巻き状の進行をする。
【００２３】
次に、本実施の形態に係るルアーの使用方法を説明する。
【００２４】
先ず、ルアーをキャスティングしてポイントに着水させる。続いて、リーリングと釣り竿の操作によって釣糸を引っ張ると、図３の（ａ）に示すように、着水後に任意の方向を向いていたルアーは、徐々に側面を釣人側へ向けるように進行方向を変化させる。左右どちらの側面を釣人側へ向けるかは着水時のルアーの方向に決定される。
【００２５】
釣糸Ｊを細かくふるわせると、図３の（ｂ）に示すように、ボディーＡは釣糸Ｊの引かれる側面側に傾き細かい振動を発生する。この細かい振動と水面Ｌにできる波紋Ｍ、そしてボディーＡが傾くことで生じるボディーＡの反射光Ｎの変化により高い集魚効果が得られる。
【００２６】
釣糸Ｊを引っ張ると、ボディーＡが側面の釣糸Ｊに引かれる側に傾くと同時にボディーＡの側面及び上面に水流抵抗が加わり、このとき作用点となる穴Ｉの前後で受ける水流の量に差が生じ、少なく水流を受ける長手方向へルアーが進行を始めるが、一定以上に釣糸Ｊを引っ張るとルアーが長手方向に進むよりも釣糸Ｊに引かれる力の方が増してしまい、ルアーが釣り人側に寄ってしまうので、釣糸Ｊを引っ張った直後に釣糸Ｊを緩めるとボディーの傾きを元の姿勢に戻す復元力が働き、釣人側にルアーが近寄りにくくなる。
【００２７】
この原理を利用し、釣糸Ｊを引っ張った状態と緩めた状態とを素早く繰り返すことにより、釣糸を水面に付けない状態において、図４に示すように、ルアーは釣人を中心として渦巻きを描くように泳動する。    
【００２８】
ルアー付近の釣糸を水面に付けた状態でリトリーブし釣糸を引いた状態と緩めた状態とを繰り返した場合、図５に示すように、ルアーの渦巻き状の進行に逆らう方向に釣糸が水流を受け、その部分が渦巻き状の進行の支点Ｏとなるので、渦巻き状の進行は径の小さなものとなるが、リトリーブを続けると支点Ｏも手前に移動することからルアーは釣糸を交差して渦巻き状の進行をすることができず、支点Ｏと平行に手前に移動する。
【００２９】
この状態において釣糸Ｊを操作しルアーに瞬間的に強い力を加えると、図６に示すように、渦巻き状の進行の支点Ｏがわずかに移動するのに対し、重みを持つルアー本体には慣性が働くことで渦巻き状の進行が加速し釣糸を交差することができるが、この状態をルアーが反転したこととする。
【００３０】
上記の操作を組み合わせることにより、図７に示すように渦巻き状の進行方向を自在に操作することが可能となる。
【００３１】
実施の形態２．
【００３２】
本実施の形態は前記実施の形態１に係るルアーにおけるルアー本体の変形例である。図8は変形例１に係るルアーを示したものである。図9は変形例２に係るルアーを示したものである。これらの図において、図１〜図7と同一符号は同一又は相当部分を示している。
【００３３】
変形例１：本変形例に係るルアーの釣糸連結に関して、図8（ａ，ｂ，ｃ）に示すようにルアーの重心が高くならず、ボディーにダイレクトに動きを伝えることができるものである。
【００３４】
変形例２：本変形例に係るルアーのルアー本体に関して図9に示すように一部に軟質素材を有するものである。
【００３５】
なお、本考案は、上述した実施形態にのみ限定されるものではなく、形状あるいは素材等につき、その種々の組合せバリエーションは必要に応じて適宜変更、設定可能であり、上記実施形態と同様な作用効果を得ることができる。
【符号の説明】
【００３６】
Ａ  ボディー
Ｂ  連結金具兼釣針取り付け金具
Ｃ  針取り付け金具
Ｄ  破損防止プロテクター兼バランサー
Ｅ  錘１
Ｆ  錘２
Ｇ  釣針１
Ｈ  釣針２
Ｉ  釣糸を通す穴
Ｊ  釣糸
Ｋ  保護チューブ
Ｌ  水面
Ｍ  波紋
Ｎ  反射光
Ｏ  渦巻き状の進行の支点
【図７】
0003155753.tif 000003
【図８】
0003155753.tif 000004
【図１】
0003155753.tif 000005
【図２】
0003155753.tif 000006
【図３】
0003155753.tif 000007
【図４】
0003155753.tif 000008
【図５】
0003155753.tif 000009
【図６】
0003155753.tif 000010
【図９】
0003155753.tif 000011
【手続補正書】
【提出日】平成21年9月28日(2009.9.28)
【手続補正１】
【補正対象書類名】明細書
【補正対象項目名】全文
【補正方法】変更
【補正の内容】
【考案の詳細な説明】
【技術分野】
【０００１】  本考案はルアーに関するものである。
【背景技術】
【０００２】  周知の通り、ブラックバスやトラウトなどの魚を対象（以下、「対象魚」とする）とするルアーフィッシングにおいては、対象魚が生息するポイントへルアーをキャスティングした後、ルアーをロッドやリールで操作しながらリトリーブするが、この時、対象魚の捕食を誘うための特殊なアクションができるように工夫されたルアーが従来から多数開発されている。【０００３】  従来のルアーは釣糸を連結金具に直接、もしくはスナップやスプリットリングを介して連結する。【０００４】  従来のルアーはリトリーブ時に釣人のもとへ頭を向け直線的に進んで回収される特徴を持つ。【０００５】  後出特許文献１によると、釣糸を連結するための連結具をルアー本体の側面に設けられていると共にルアー本体の連結具に対して後方側に位置する側面の水を受ける面積を前方側に位置する側面の水を受ける面積よりも広くし、ルアー本体の連結具が設けられた位置から後方側に撓曲状態において復元力が生じる撓曲部を設けたので、リトリーブ時に釣糸を張った状態と緩めた状態とを繰り返すことによってルアーが釣人を中心として渦巻きを描くように進むため（以下、「渦巻き状の進行」とする）、ルアーの進行方向に釣人が存在しなくなり、対象魚に対して警戒心を与えることがない。【０００６】  特許文献１に開示されたルアーは釣糸の接続部位によりルアーの進行が一方方向へ決定されてしまうので、リトリーブ時に釣糸を張った状態と緩めた状態とを繰り返したときのルアーの渦巻き状の進行方向を任意に変えることができずリトリーブの軌道上に存在する障害物を避けることができないことがあった。
【先行技術文献】
【特許文献】
【０００７】
【特許文献１】特開2007-020446
【考案の開示】
【考案が解決しようとする課題】
【０００８】  しかしながら以上の技術によれば、竿先でルアーに動きを加えると連結金具の重みで慣性が働き元の姿勢に戻るまでに若干の遅れが生じること、また連結金具によって作用点が本体から離れてしまうことから、竿先でルアーに素早く連続した細かな動きを伝えることが困難であった。【０００９】  前記特許文献１に開示されたルアーは釣糸の接続部位によりルアーの渦巻き状の進行が一方方向へ決定されてしまうので、キャスト後は一旦回収しなければルアーの渦巻き状の進行方向を変えることができなかった。【００１０】  本考案はかかる実情に鑑み、小魚や昆虫が痙攣したような細かく素早い動きを表現することが可能なルアーを提供することを目的とする。【００１１】  また、リトリーブ時に釣糸を張った状態と緩めた状態とを繰り返すことによってルアーが釣人を中心として渦巻き状の進行をするが、任意にリトリーブ中の渦巻き状の進行方向を変えることを可能とする。
【課題を解決するための手段】
【００１２】   ルアーの上面にルアー本体へ連結する釣糸を通すための穴を設け、前記穴を通した釣糸を連結するための連結具を備え、静止時には水平から前後傾±３０度以内の姿勢角度を保つことを特徴とするルアー。 
【考案の効果】
【００１３】  本考案によれば、釣糸を張った状態においては従来のルアーと異なりルアーは本体の長手方向ではなく側面方向に傾くが、ルアー上部の連結金具を廃しルアーの重心を下げたことによって釣糸を緩めると本体がより素早く元の姿勢に戻るので、素早く連続的なアクションを加えることが可能となる。【００１４】  また、連結金具を介せずルアー本体にダイレクトに動きを加えることでより繊細な動きを伝えることができ、従来のルアーでは表現できなかった小魚や昆虫が痙攣したような細かく連続した素早い動きによって高い釣果を期待することができる。【００１５】  ルアーの作用点となるルアー上部の釣糸を通す穴をボディーの長手方向に前後させると作用点の前後で受ける水流の量に差が生じ、リトリーブすると少なく水流を受ける長手方向へルアーが渦巻き状の進行をするので、ルアーの進行方向に釣人が存在しなくなり、対象魚に対して警戒心を与えることがない。【００１６】  本考案によれば、同一ルアーにおいてはリトリーブを開始するときのルアーの向きによってルアーの渦巻き状の進行方向が決定するので、リトリーブ中にルアーの向きを反転させることにとって、渦巻き状の進行方向を操作することができる。
【図面の簡単な説明】
【００１７】
【図１】本考案の一実施形態における釣用ルアーの構成例を示す図である。
【図２】本考案に係る穴Ｉの配置例を示す図である。
【図３】本考案に係るルアーにアクションを加えたときの動きを示す図である。
【図４】本考案に係るルアーにアクションを加えたときの動きを示す図である。
【図５】本考案に係るルアーにアクションを加えたときの動きを示す図である。
【図６】本考案に係るルアーにアクションを加えたときの動きを示す図である。
【図７】本考案に係るルアーにアクションを加えたときの動きを示す図である。
【図８】本考案に係るルアーにおける変形例を示す図である。
【図９】本考案に係るルアーにおける変形例を示す図である。
【考案を実施するための形態】
【００１８】以下、図面に基づき、本考案によるルアーの好適な実施の形態を説明する。
【００１９】実施の形態１．
【００２０】    図１は、本考案の一実施形態による釣用ルアーの構成例を示している。ボディーＡには上部から下部への貫通穴Ｉが設けられており、連結する釣糸Ｊはこの穴Ｉを通り連結金具Ｂへと結ばれる。図１では連結金具Ｂが釣り針Ｇの取り付け金具も兼ねている。Ｋは釣糸を傷から保護するためのチューブで穴Ｉに埋め込まれる。Ｄはルアーの破損を防ぐプロテクターおよび本体の長手方向の姿勢を正すバランサーの役目をはたす。
【００２１】  図２（ａ、ｂ）は作用点となる穴Ｉの位置によりリトリーブ時のルアーが受ける水流の変化を示している。ルアーの作用点となるルアー上部の釣糸を通す穴Ｉの位置をボディーＡの長手方向に前後させると作用点の前後で受ける水流の量に差が生じ、リトリーブすると少なく水流を受ける長手方向へルアーが渦巻き状の進行をする。
【００２２】    次に、本実施の形態に係るルアーの使用方法を説明する。
【００２３】  先ず、ルアーをキャスティングしてポイントに着水させる。続いて、リーリングと釣り竿の操作によって釣糸を引っ張ると、図３の（ａ）に示すように、着水後に任意の方向を向いていたルアーは、徐々に側面を釣人側へ向けるように進行方向を変化させる。左右どちらの側面を釣人側へ向けるかは着水時のルアーの方向に決定される。
【００２４】釣糸Ｊを細かくふるわせると、図３の（ｂ）に示すように、ボディーＡは釣糸Ｊの引かれる側面側に傾き細かい振動を発生する。この細かい振動と水面Ｌにできる波紋Ｍ、そしてボディーＡが傾くことで生じるボディーＡの反射光Ｎの変化により高い集魚効果が得られる。
【００２５】  釣糸Ｊを引っ張ると、ボディーＡが側面の釣糸Ｊに引かれる側に傾くと同時にボディーＡの側面及び上面に水流抵抗が加わり、このとき作用点となる穴Ｉの前後で受ける水流の量に差が生じ、少なく水流を受ける長手方向へルアーが進行を始めるが、一定以上に釣糸Ｊを引っ張るとルアーが長手方向に進むよりも釣糸Ｊに引かれる力の方が増してしまい、ルアーが釣り人側に寄ってしまうので、釣糸Ｊを引っ張った直後に釣糸Ｊを緩めるとボディーの傾きを元の姿勢に戻す復元力が働き、釣人側にルアーが近寄りにくくなる。
【００２６】  この原理を利用し、釣糸Ｊを引っ張った状態と緩めた状態とを素早く繰り返すことにより、釣糸を水面に付けない状態において、図４に示すように、ルアーは釣人を中心として渦巻きを描くように泳動する。    
【００２７】  ルアー付近の釣糸を水面に付けた状態でリトリーブし釣糸を引いた状態と緩めた状態とを繰り返した場合、図５に示すように、ルアーの渦巻き状の進行に逆らう方向に釣糸が水流を受け、その部分が渦巻き状の進行の支点Ｏとなるので、渦巻き状の進行は径の小さなものとなるが、リトリーブを続けると支点Ｏも手前に移動することからルアーは釣糸を交差して渦巻き状の進行をすることができず、支点Ｏと平行に手前に移動する。
【００２８】    この状態において釣糸Ｊを操作しルアーに瞬間的に強い力を加えると、図６に示すように、渦巻き状の進行の支点Ｏがわずかに移動するのに対し、重みを持つルアー本体には慣性が働くことで渦巻き状の進行が加速し釣糸を交差することができるが、この状態をルアーが反転したこととする。
【００２９】  上記の操作を組み合わせることにより、図７に示すように渦巻き状の進行方向を自在に操作することが可能となる。
【００３０】実施の形態２．
【００３１】本実施の形態は前記実施の形態１に係るルアーにおけるルアー本体の変形例である。図8は変形例１に係るルアーを示したものである。図9は変形例２に係るルアーを示したものである。これらの図において、図１〜図7と同一符号は同一又は相当部分を示している。
【００３２】変形例１：本変形例に係るルアーの釣糸連結に関して、図8（ａ，ｂ，ｃ）に示すようにルアーの重心が高くならず、ボディーにダイレクトに動きを伝えることができるものである。
【００３３】変形例２：本変形例に係るルアーのルアー本体に関して図9に示すように一部に軟質素材を有するものである。
【００３４】なお、本考案は、上述した実施形態にのみ限定されるものではなく、形状あるいは素材等につき、その種々の組合せバリエーションは必要に応じて適宜変更、設定可能であり、上記実施形態と同様な作用効果を得ることができる。
【符号の説明】
【００３５】      Ａ  ボディー      Ｂ  連結金具兼釣針取り付け金具      Ｃ  針取り付け金具      Ｄ  破損防止プロテクター兼バランサー      Ｅ  錘１      Ｆ  錘２      Ｇ  釣針１      Ｈ  釣針２      Ｉ  釣糸を通す穴      Ｊ  釣糸      Ｋ  保護チューブ      Ｌ  水面      Ｍ  波紋      Ｎ  反射光      Ｏ  渦巻き状の進行の支点 
【手続補正２】
【補正対象書類名】実用新案登録請求の範囲
【補正対象項目名】全文
【補正方法】変更
【補正の内容】
【実用新案登録請求の範囲】
【請求項１】
ルアーの上面にルアー本体へ連結する釣糸を通すための穴を設け、前記穴を通した釣糸を連結するための連結具を備え、静止時には水平から前後傾±３０度以内の姿勢角度を保つことを特徴とするルアー。